(57)【要約】【課題】この実施形態では、番組案内（ＥＰＧ）情報から作成される番組表において、マルチチャンネルで放送される複数の番組の案内表示及び現在の予約状態などを分かり易くする。【解決手段】実施形態では、番組情報処理モジュールが、マルチチャンネルで放送される複数の同一内容の番組の案内領域をそれぞれ個別に設定した番組表を作成する。判定モジュールが、前記複数の同一内容の番組の中の１つの番組の案内領域に録画予約情報が表示された場合、他の残りの番組の案内領域にも録画予約済みであることを示す録画予約情報を表示させる。【選択図】図１
2013026858.tif 000002
【特許請求の範囲】
【請求項１】
マルチチャンネルで放送される複数の同一内容の番組の案内領域をそれぞれ設定した番組表を作成する番組情報処理モジュールと、
前記複数の同一内容の番組の中の１つの番組の案内領域に録画予約情報が表示された場合、他の残りの番組の案内領域にも録画予約済みであることを示す録画予約情報を自動的に設定する判定モジュールを有する番組データ処理装置。
【請求項２】
前記１つの番組の案内領域の前記録画予約情報は、操作入力に応じて設定される情報であり、前記１つの番組の案内領域の前記録画予約情報と、前記判定モジュールにより自動的に設定された前記他の残りの番組の案内領域の前記録画予約情報とは、表示状態が視覚で区別することができる表示情報である請求項１記載の番組データ処理装置。
【請求項３】
前記判定モジュールは、前記他の残りの番組の番組情報に録画禁止フラグを追加する請求項２記載の番組データ処理装置。
【請求項４】
前記操作入力に応じて設定される前記１つの番組の案内領域の録画予約情報による予約マークは、前記番組表上で所定の色が着色されたラインで表示され、前記他の残りの番組の案内領域の予約情報は、前記ラインとは異なるマークで表示される請求項２記載の番組データ処理装置。
【請求項５】
前記他の残りの番組の案内領域にも、前記１つの番組の案内領域の録画予約情報による予約マークと同じ予約マークが設定される請求項２記載の番組データ処理装置。
【請求項６】
さらに前記判定モジュールは、前記複数の同一内容の番組の中の１つの番組の案内領域に視聴予約を示す視聴予約情報が表示された場合、他の残りの番組の案内領域にも視聴予約済みであることを示す予約情報を表示させる請求項１記載の番組データ処理装置。
【請求項７】
テレビジョン信号を受信するチューナと、前記チューナの復調出力を処理してベースバンドの映像信号を出力する信号処理部と、前記映像信号及びグラフィック映像信号を表示部に出力するグラフィック処理部とを制御部で制御する番組予約データ処理方法であって、前記制御部が、
マルチチャンネルで放送される複数の同一内容の番組の案内領域をそれぞれ個別に設定した番組表を作成し、
前記複数の同一内容の番組の中の１つの番組の案内領域に録画予約情報が表示された場合、他の残りの番組の案内領域にも録画予約済みであることを示す予約情報を設定する番組データ処理方法。
【請求項８】
前記制御部は、
前記１つの番組の案内領域の前記録画予約情報を、操作入力に応じて設定し、前記１つの番組の案内領域の前記録画予約情報と、前記判定モジュールにより自動的に設定された前記他の残りの番組の案内領域の前記録画予約情報とを、視覚で区別することができる表示情報とし、前記他の残りの番組の番組情報に録画禁止フラグを追加する請求７記載の番組データ処理方法。
【発明の詳細な説明】
【技術分野】
【０００１】
本発明の実施形態は、番組データ処理装置及び方法に関する。
【背景技術】
【０００２】
映像装置には、番組データ処理装置が含まれる。番組データ処理装置は、放送局から送られてくる電子番組案内（ＥＰＧ）情報を処理し、新聞などに見られる番組表と同じような番組表の表示用画像データを用意することができる。そして、番組データ処理装置は、操作指令に応じて、前記番組表を表示器に表示することができる。
【０００３】
表示器に表示された番組表は、放送番組の確認用として利用できる。また番組表は、録画予約を行う場合にも利用できる。
【０００４】
テレビジョン受信装置において、所望の番組の録画予約が実施される場合、通常は、以下のような処理が実行される。即ち、ユーザがリモートコントローラを操作し、例えば番組表の表示を指令するボタンを押す。すると、テレビジョン受信装置は、画面上に番組表を表示する。ユーザは、リモートコントローラを操作し、番組表上の所望の番組にカーソルを合わせる。このとき所望の番組を含むフレームがハイライトする。ユーザがリモートコントローラの決定ボタンを押すと、録画予約の対象として、当該所望の番組が特定される。続いて画面上には、録画予約を「する」、「しない」の選択項目が表示される。ユーザは、何れかの選択項目にカーソルを合わせ、決定ボタンを操作する。カーソルにより「する」が選択され、決定ボタンが押された場合、当該所望の番組の録画予約が行われる。カーソルにより「しない」が選択され、決定ボタンが押された場合、番組表の表示状態に戻る。
【先行技術文献】
【特許文献】
【０００５】
【特許文献１】特許第４４９２９７３号公報
【特許文献２】特開２００６−１１５３７１号公報
【発明の概要】
【発明が解決しようとする課題】
【０００６】
ところで、地上デジタル放送では、マルチチャンネル放送番組という形態があり、同一放送業者が、異なる番組を同じチャンネルで放送する場合がある。地上デジタル放送では、１つチャンネルの放送帯域に１ＯＦＤＭセグメントを１３個使用している。その内の１つのセグメントを１セグメント放送用として使用し、携帯電話など向けた画像送信用に提供している。一方、残りの１２セグメントは、高画質テレビジョン放送番組用として使用されるが、例えば、高画質を要しない放送の場合、１つの番組に４セグメントを割り当て、複数例えば３つの番組を放送することも可能である。
【０００７】
上記マルチチャンネル放送の場合、番組データ処理装置は、マルチチャンネル用の番組表を作成する必要がある。一方、放送業者によっては、同一内容の番組をマルチチャンネルのすべてで放送する場合も考えられる。このような放送が行われた場合、全く同じ内容の番組が、同一時間帯に複数のチャンネルで放送されることになる。しかしこのような放送形態は、録画に関する新たな問題を生じることが予想される。
【０００８】
そこで本実施形態では、番組案内（ＥＰＧ）情報から作成される番組表において、マルチチャンネルで放送される複数の番組の案内表示及び現在の予約状態などを分かり易くすることができる番組データ処理装置及び方法を提供することを目的とする。
【課題を解決するための手段】
【０００９】
実施形態によれば、マルチチャンネルで放送される複数の同一内容の番組の案内領域をそれぞれ個別に設定した番組表を作成する番組情報処理モジュールと、
前記複数の同一内容の番組の中の１つの番組の案内領域に録画予約情報が表示された場合、他の残りの番組の案内領域にも録画予約済みであることを示す録画予約情報を設定する判定モジュールを有する。
【図面の簡単な説明】
【００１０】
【図１】一実施形態のテレビジョン受信装置の代表的な構成例を示すモジュール図である。
【図２】図１のテレビジョン受信装置を操作するために用いられるリモートコントローラの代表的な外観図である。
【図３】図１のテレビジョン受信装置の映像表示部に表示された番組表の代表的な例を示す図である。
【図４】番組表の作成の代表的な例を示すフローチャートである。
【図５】番組表を用いた録画予約手順の代表的な例を示すフローチャートである。
【図６】マルチチャンネルの番組の番組表の代表的な表示例を示す図である。
【図７】マルチチャンネルの番組の番組表の他の代表的な表示例を示す図である。
【発明を実施するための形態】
【００１１】
以下、実施の形態について図面を参照して説明する。図１は、テレビジョン放送受信装置４１の主要な信号処理系を示している。本発明は、テレビジョン放送受信装置４１の限定されるものではなく、情報記録再生装置にも適用可能であるが、ここでは、テレビジョン放送受信装置４１を代表して説明する。
【００１２】
ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１３】
チューナ４５で選局された放送信号は、ＰＳＫ（Phase Shift Keying）復調器４６に供給されて、デジタルの映像信号及び音声信号に復調された後、信号処理部４７に出力される。
【００１４】
地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１５】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００１６】
また地上波アナログ信号を受信するアナログチューナ５８も設けられている。アナログチューナ６８で受信された信号は、アナログ復調器５９で復調され信号処理部４７に出力される。
【００１７】
ここで、信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。例えば、信号処理部４７は、入力した信号が符号化されている場合は、復号化処理を実施し、ベースバンドのデジタル映像信号及びオーディオ信号を出力することができる。逆に、ベースバンドのデジタル映像信号及びオーディオ信号を符号化して記録用のデジタル信号を得ることもできる。
【００１８】
グラフィック処理部５２は、信号処理部４７から供給されるデジタルの映像信号に、ＯＳＤ（On Screen Display）信号生成部５４で生成されるＯＳＤ信号を重畳して出力する機能を有する。また、グラフィック処理部５２は、信号処理部４７の出力映像信号と、ＯＳＤ信号生成部５４の出力ＯＳＤ信号とを選択的に出力することができる。また、グラフィック処理部５２は、両出力をそれぞれ画面の半分を構成するように組み合わせて出力することができる。
【００１９】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力する。
【００２０】
音声処理部５３は、入力されたデジタルの音声信号を、スピーカ１５で再生可能なフォーマットのアナログ音声信号に変換し、スピーカ１５に出力する。
【００２１】
このデジタルテレビジョン放送受信装置１１は、上記した各種の受信動作を含むその全ての動作を制御部６１によって統括的に制御されている。
【００２２】
制御部６１は、ＣＰＵ（Central Processing Unit）（図示せず）等を内蔵している。操作部７１からの操作情報を受けたとき、または、リモートコントローラ７２から送出された操作情報を、受光部７３を介して受信したとき、制御部６１は、その操作内容が装置に反映されるように各部をそれぞれ制御している。
【００２３】
制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３等を利用している。
【００２４】
制御部６１は、変調・復調器７０を介して、外部ネットワーク（例えばインターネット）と接続可能である。従って制御部６１は、外部ネットワークを介してプロバイダーのサーバーをアクセスし、該サーバーから各種の情報を取得することができる。
【００２５】
制御部６１は、カードＩ／Ｆ（Interface）７５を介して、メモリカード７７が装着可能なカードホルダ７６に接続されている。これによって、制御部６１は、メモリカード７７と通信を行ない、情報の記録再生を行うことができる。
【００２６】
制御部６１は、通信Ｉ／Ｆ８１を介してＬＡＮ端子８２に接続されている。これにより、制御部６１は、ＬＡＮ端子２１に接続されたＬＡＮ対応の機器（例えば録再装置、ＨＤＤなど）と、通信を行ない、情報の記録再生を行うことができる。この場合、制御部６１は、ＤＨＣＰ（Dynamic Host Configuration Protocol）サーバー機能を有し、ＬＡＮ端子８２に接続されたＬＡＮ対応の機器にＩＰ（Internet Protocol）アドレスを割り当てて制御している。
【００２７】
制御部６１は、ＵＳＢ Ｉ／Ｆ８３を介してＵＳＢ端子８４に接続されている。これにより、制御部６１は、ＵＳＢ端子８４に接続された各機器（例えばハードディスクドライブ（ＨＤＤ）９１）と、通信を行ない、情報の記録再生を行うことができる。また制御部６１は、ＨＤＭＩ Ｉ／Ｆ８７を介してＨＤＭＩ端子８８に接続されている。これにより、制御部６１は、ｉ．ＨＤＭＩ端子８８に接続された各機器（例えばＤＶＤ録再装置、ブルーレイ録再装置などの録再機器９２など）と通信を行い、情報の記録再生を行なうことができる。
【００２８】
制御部６１は、記録再生処理モジュール６３０を含む。記録再生処理モジュール６３０は、上記ＨＤＤ９１或いは録再機器９２に情報が記録されるとき、及び上記ＨＤＤ９１或いは録再機器９２から情報が再生されるときに主となって記録再生動作の制御を行う。記録再生処理モジュール６３０は、記録信号をＨＤＤ９１、録再機器９２の記録フォーマットに適したフォーマットに変換することができる。またＨＤＤ９１、録再機器９２からの再生信号を信号処理部４７で処理できるようにフォーマット変換することができる。
【００２９】
制御部６１は、明るさセンサー７８と接続されている。制御部６１は、明るさセンサー７８の明るさ検出信号に応じて、例えば輝度調整、画面の明るさ調整、バックライトの調光などを行うことができる。
【００３０】
制御部６１は、カメラ７９と接続されている。制御部６１は、カメラ７９からの画像信号を取り込み、画像信号を各種の処理のために利用することができる。
【００３１】
制御部６１は、電子番組案内（ＥＰＧ）データベース６２１、番組情報処理モジュール６２２を含む。
【００３２】
ＥＰＧデータは、放送番組信号とともに送られてくる付加情報（属性情報と称しても良い）である。付加情報は、番組の放送局情報、番組固有のＩＤ，番組、番組のジャンル、番組の内容を簡略化して記述したデータ、番組の放送開始時刻、放送時間の長さ、番組の製作者、製作者のコメントなどを含む場合がある。このようなＥＰＧデータがＥＰＧデータベース６２１として構築されている。
【００３３】
番組情報処理モジュール６２２は、ＥＰＧデータを用いて、図２に示すような番組表１１１を作成することができる。また後述するように、番組情報に関する各種の表示出力を生成することができる。
【００３４】
制御部６１は、操作入力処理モジュール６２３を有する。操作入力処理モジュール６２３は、操作部７１及びリモートコントローラ７２から与えられる指令に応答して、装置全体の応答動作に反映させる。例えば、カーソルの移動動作、決定指令への応答、録画予約情報の生成、などである。
【００３５】
制御部６１は、判定モジュール６２４を有する。判定モジュール６２４は、装置動作に必要な各種の論理判定要素を含む。また制御部６１は、録画予約処理モジュール６２５を有する。録画予約処理モジュール６２５は、番組録画予約情報の生成、格納、読出し、及び録画予約の設定などの処理を行う。判定モジュール６２４は、装置動作に必要な各種の論理判定を、ＥＰＧデータベース６２１、番組情報処理モジュール６２２、操作入力処理モジュール６２３、録画予約処理モジュール６２５、記録再生処理モジュール６３０、などと協働して行う。
【００３６】
図２は、リモートコントローラ７２の一例を示している。リモートコントローラ７２は、電源スイッチ２０１を有し、この電源スイッチ２０１を押すことで、待機状態のテレビジョン受信装置がオフからオン、或いはオンからオフ状態に移行する。２０２は地上デジタル放送を受信したい場合に操作される地デジボタンであり、２０３は衛星放送を受信したい場合に操作されるＢＳボタン、２０４は、通信衛星放送を受信したい場合に操作されるＣＳボタンである。
【００３７】
２０５は、１−１２チャンネルの受信チャンネル選択ボタンである。受信チャンネルは、チャンネル切換ボタン２０６を操作しても切り換えることができる。２１１は、音量調整ボタンである。３００は番組表ボタンであり、このボタンを操作すると、番組表の表示を得ることができる。３１１，３１２，３１３，３１４は、ページ切換ボタンであり、それぞれのボタン操作に応じて、表示されているテーブルの上又は下方向、左または右方向へのページ切換を得ることができる。３０２は、カーソル移動ボタンであり、カーソルを画面上で上又は下方向、左または右方向へ移動制御することができる。所望の位置へカーソルが位置したとき、決定ボタン３０２を押すことができる。決定ボタン３０２が押されたとき、カーソルに選択された項目が意味する動作が、装置に反映される。
【００３８】
Ｂ，Ｒ，Ｇ，Ｙボタンは、青、赤、緑及び黄の色つきのボタンであり、各状態において一括操作のために利用することができる。このボタンの操作案内は、画面上で行われる。
【００３９】
図３は、ボタン３００を操作して、テレビジョン放送受信装置４１の映像表示部５７の画面に番組表４００が表示された様子を示している。
【００４０】
番組表４００の上部右側には、現在の日と時刻（この例は、７月２１日木曜、午後３時１３分）が表示される（４０１）。番組表４００の上部中央には、表示されている番組表４００が、７月２１日、木曜対応のものであることを示している（４０２）。また番組表４００の上部左側には、番組表が地上デジタル放送の番組表であることを示している（４０３）。
【００４１】
番組表４００の左側の縦方向には、時間（ＰＭ３−ＰＭ８）が示されている（４０４）。また番組表４００は、チャンネルごとに仕切られている。この例では、チャンネル１，２，６，７，及び８が示されている（４０５−４１１）。
【００４２】
この番組表４００には、同一チャンネル２が３列示されている。地上デジタル放送では、マルチチャンネル放送番組という形態があり、同一番組あるいは、異なる番組を同じチャンネルで放送する場合がある。地上デジタル放送では、１つチャンネルの放送帯域に１ＯＦＤＭセグメントを１３個使用している。その内の１つのセグメントを１セグメント放送用として使用し、携帯電話など向けた画像送信用に提供している。残りの１２セグメントは、高画質テレビジョン放送番組用として使用されるが、高画質を要しない放送の場合、例えば１つの番組に４セグメントを割り当て、複数の番組を放送することも可能である。このようなマルチチャンネル放送番組の番組表は、図３に示すように表示される。チャンネル表示位置には、同じチャンネル番号２が表示され、テレビ局表示位置には、同じテレビ局の称号（この場合は、ＣＤＥ−ＴＶ）が表示されている。ただし、チャンネル番号２にはサフィックスがあり、この例では、「０２１」、「０２２」、「０２３」と識別されている。
【００４３】
マルチチャンネル放送では、異なる内容の番組を放送する場合もある。例えば７時３０分から８時までの間、テレビ局ＣＤＥ−ＴＶでは、アニメＡＡ，アニメＶＶ，アニメＸＸが放送されることが番組表上に示されている（４３２、４３３、４３４）。
【００４４】
なお番組表４００に示されている「ＡＢＸ−ＴＶ」、「ＣＤ−ＴＶ」、「ＨＪＫ−ＴＶ」、「ＬＭＭ−ＴＶ」は、テレビ局の称号の例である。
【００４５】
番組表４００において、各番組のパーティションエリアには、番組名、番組の案内などが記述されている。
【００４６】
また番組表４００の上で、録画予約されている番組がある場合には、予約されている番組の区画の例えば左側に赤いライン（視覚的な録画予約情報）が表示される。この番組表４００の例であると、ＰＭ６時−ＰＭ７時までテレビ局ＡＢＸ−ＴＶで放送される番組「子供の広場」という番組が録画予約されている（ライン４２４）。またＰＭ５時−ＰＭ６時までテレビ局ＣＤＥ−ＴＶで放送される番組「歴史Ａ」という番組が録画予約されている（ライン４２５）。なお赤いラインは、色が限定されるものではなく、録画予約情報と認識しやすい予約マークであればよい。
【００４７】
上記の番組表４００は、画面上に現れているのは一部であり、ページ切換ボタンを操作することにより、上、又は下、又は左、又は右側に隠れている番組表を表示状態にすることができる。この操作を行うための案内マーク４３５が表示されている。またＢ，Ｒ，Ｇ，Ｙボタンを操作すると、どのような動作が得られるかが記述されている。
【００４８】
次に録画予約処理モジュール６２５が主導となって動作する各種の録画予約について説明する。
【００４９】
図４は、図１に示した装置において、番組表が作成されるときの動作を示すフローチャートである。図４の動作は、番組情報処理モジュール６２２が主導となって実行する。ＥＰＧデータが取得されてＥＰＧデータベース６２１に格納される。ＥＰＧデータは、デジタルテレビジョン放送信号とともに送信されてくるパケット内から取得することができるし、また、インターネットを介して取得することも可能である。ＥＰＧデータは、定期的に、或いは装置の電源入力操作があったときに、更新される。
【００５０】
番組情報処理モジュール６２２は、ＥＰＧデータから、番組を放送している放送局名の認識、チャンネルの認識、放送日時の認識を行うことが可能である（ステップＳＡ１，ＳＡ２）。同一放送時間帯における、同一放送局名、番組名、チャンネル、さらには、番組情報として送られてくるサービスデータなどから、マルチチャンネルの放送番組の番組情報であるかどうかが判定される（ステップＳＡ３）。
【００５１】
現在判定している番組のＥＰＧデータが、マルチチャンネルの放送番組の番組情報ではないと判定された場合、番組テーブル（番組表）において、認識した放送日時の行と、認識したチャンネルの列が交差する１つの領域を、番組テーブル上で確保（特定）する。そしてこの領域に対して、ＥＰＧデータベースと交信を行いながら、前記マルチチャンネルの放送番組の番組情報を記述する（ステップＳＡ４，ＳＡ５）。
【００５２】
次に、ステップＳＡ３において、現在判定している番組のＥＰＧデータが、マルチチャンネルの放送番組の情報であると判定された場合、マルチチャンネルを放送している放送局名の確認（チェック）、マルチチャンネル数の確認（チェック）、放送日時の確認（チェック）、が行われる。続いて、番組テーブル（番組表）において、認識した放送日時の行と、認識したマルチチャンネル数と同じ数の列が交差する、複数の領域（例えば図の例では３つの領域）を、番組テーブル上で確保（特定）する（ステップＳＡ１０）。次に、マルチチャンネルの放送番組は、互いに異なる内容であるのか、同じ内容であるのかの判定を行う（ステップＳＡ１１）。この判定は、番組情報に含まれる番組名、解説文、出演者名などから判定される。
【００５３】
マルチチャンネルの放送番組は、互いに異なる内容である場合は、ＥＰＧデータベースと交信し、３つの領域のそれぞれに異なる番組の異なる番組情報を記述する（ステップＳＡ１１，ＳＡ１２）。ステップＳＡ１１において、マルチチャンネルの放送番組は、同じ内容の番組であることが判明した場合、ＥＰＧデータベースと交信し、３つの領域のそれぞれに同じ番組の同じ番組情報を記述する（ステップＳＡ１１，ＳＡ１３）。
【００５４】
図６、図７は、それぞれ図３の番組表の一部を拡大して示している。番組表において複数の領域（例えば３つの領域８１１、８１２、８１３）は、マルチチャンネルの放送番組のために確保された領域である。また複数の領域（例えば３つの領域８２１、８２２、８２３）もマルチチャンネルの放送番組のために確保された領域である。
【００５５】
領域８１１、８１２、８１３の番組情報は、マルチチャンネルの放送番組が同じ内容の番組である場合の情報である。したがって、番組情報としては例えば「歴史Ａ」、「教授：ＢＫ・Ｊｏｎ」、「アシスタント：ＳＫ・Ｔｏｍ」が各領域８１１、８１２、８１３に記述される。
【００５６】
一方、領域８２１、８２２、８２３の番組情報は、マルチチャンネルの放送番組が異なる内容の番組である場合の情報である。したがってこの場合は、番組情報としては、例えば「アニメＡＡ」、「海の乗り物」が領域８２１、「アニメＶＶ」、「空の乗り物」が領域８２２、そして「アニメＸＸ」、「陸の乗り物」が領域８２３にそれぞれ記述される。
【００５７】
上記のように番組表が表示された場合、録画予約が行われるときに、マルチチャンネルの放送番組に対する録画予約インフォメーションは以下のように行われる。ここでの動作は、主として判定モジュール６２４の主導のもとで実行される。
【００５８】
図５を参照して説明する。リモートコントローラの番組表ボタン３００、このボタンを操作すると、番組表の表示を得ることができる。ユーザがリモートコントローラを操作し、カーソルを移動させる。カーソルにより、番組表上で所望の番組（番組情報の領域）を選択し、決定ボタンの操作が行われる（ステップＳＢ１）。ユーザが、録画予約の項目を選択して、録画予約を行うと、録画予約された番組は、マルチチャンネルの番組かどうかの判定がなされる（ステップＳＢ２，ＳＢ３）。録画予約がされず、他のボタンが操作された場合は、他の処理ルーチンへ移行する（ステップＳＢ１１）。
【００５９】
録画予約が行われ、録画予約された番組が、マルチチャンネルの番組であった場合、他の兄弟チャンネルの番組は、録画予約した番組と同一内容のものであるかどうかの判定がなされる（ステップＳＢ４）。つまり、例えば、図６、図７に示した「歴史Ａ」、「教授：ＢＫ・Ｊｏｎ」、「アシスタント：ＳＫ・Ｔｏｍ」の番組情報に対応する番組が録画予約されたかどうかの判定がなされる（ステップＳＢ４）。ここで、他の兄弟チャンネルの番組が、録画予約した番組と同一内容のものである場合、録画予約された番組の案内領域に予約マーク（赤いライン４２５（視覚的な録画予約情報））が付加され、録画予約がなされる（ステップＳＢ５，ＳＢ６）。このとき、視覚的な録画予約情報としての予約マーク４２８、４２６、４２７が案内領域８１１、８１２、８１３に表示されるように設定する。予約マーク４２８、４２６、４２７は、必ずしも時計のマークである必要はなく、要は、録画予約が行われていることがユーザに分ればよい。
【００６０】
またこの予約マーク４２８、４２６、４２７は、判定モジュールの判定結果により自動的に設定されたものであり、ユーザが選択操作して録画予約した番組の録画予約情報（赤いライン４２５）とは視覚的に区別できることが好ましい。
【００６１】
又このときの録画予約情報を見た場合、１つの番組の案内領域の録画予約情報と、他の残りの番組の案内領域の予約情報とは、前記番組表で指定されて選択された番組と、この番組に関連付けられた前記他の残りの番組を区別することができる情報として見る事ができる。
【００６２】
またこの状況においては、案内領域８１２或いは８１３にカーソルを移動させて、決定ボタンを押し、録画予約を行うことを禁止される。禁止フラグは、例えば、領域８１２或いは８１３に対する番組情報に付加される（ＳＢ５）。
【００６３】
もしこのような工夫がなされない場合、例えば、案内領域８１１、８１２、８１３に対応する番組情報をそれぞれ独立して録画予約することができ、ダビング１０（１番組についてダビングを１０回まで許す）という規則に違反することになる。そこでこの実施形態では、案内領域８１２或いは８１３にカーソルを移動させて、決定ボタンを押し、録画予約を行おうとしても、このときの録画予約は禁止される。またこのときは、画面上で「この番組はすでに録画予約済みです」と言うコメントを表示される。よって、案内領域８１１に対応する番組だけについて、ダビングを１０回まで許し、他の領域からの同一番組の録画予約を禁止し、ルールに違反するようなダビングを防止できる。
【００６４】
一方、同じマルチチャンネルによる放送番組であって、先に説明した「アニメＡＡ」、「アニメＶＶ」、「アニメＸＸ」のような放送形態がある。この場合は、ステップＳＢ３からステップＳＢ１２に移行する。ステップＳＢ１２では、指定された番組にする録画予約情報を設定することができる。この予約の手順は、マルチチャンネルの放送番組でない番組と同様な手順である。
【００６５】
上記した録画予約の実施により、ユーザは、番組表上に、例えば図６に示すような録画予約状況を見ることができる。案内領域８１１の左端には、赤いライン４２５が表示されている。このことは、ユーザが録画予約する際に、案内領域８１１に示されている番組情報に対応した番組を録画予約したことを意味する。しかもこの番組はマルチチャンネルで放送される複数番組の中の１つの番組であり、他の番組の案内領域８１２、８１３には、すでに番組の録画予約がなされていることを示す予約マーク（予約情報と称してもよい）４２６，４２７が表示されている。
【００６６】
赤いライン４２５は、案内領域８１１、８１２、８１３の何れか１つに表示されてもよい。いずれか１つに表示することは、例えば、テレビジョン受信装置が、少なくとも２つのデジタルチューナを有し、同一時間帯であっても他の番組の録画予約を行える場合に便利である。つまり、この時間帯に赤いラインが１つであることは、同一時間帯に他の番組を録画予約できることを意味する。このことはユーザの使い勝手を向上する。
【００６７】
しかし、図７に示すように、赤いライン４２５，４２５−２，４２５−３を付加してもよい。例えばテレビジョン受信装置が、１つのデジタルチューナを有し、同一時間帯に他の番組の録画予約ができない装置の場合は、赤いライン４２５，４２５−２，４２５−３を付して、録画予約の有無の判断を容易にすることができる。
【００６８】
一方、同じマルチチャンネルによる放送番組であっても、「アニメＡＡ」、「アニメＶＶ」、「アニメＸＸ」のような放送形態の場合、それぞれの番組に対して録画予約を可能とする。このために、予約マークの表示は、通常の単独チャンネルの番組と同様に取り扱われる。図６、図７においては、アニメＡＡの番組と、アニメＸＸの番組に対する録画予約が行われていることを、予約マーク４４１、４４３により確認することができる。ただし、この予約は、テレビジョン受信装置が、２つのデジタルチューナを有し、同一時間帯に２つの番組の録画予約を可能とする装置である場合に可能である。
【００６９】
上記の説明は、録画予約について説明した。しかしこの考え方は、録画予約時の対応に限定されるものではない。視聴予約、或いは録画設定、或いは録画状態に、装置の動作が移行した際、選択した番組がマルチチャンネルの放送番組である場合は、上記と同様な処置を行っても良い。即ち、ある番組に対して視聴予約を行った場合、ある番組がマルチチャンネルによる放送番組であり、他の兄弟番組も同一内容であれば、その視聴予約のマークが、他の兄弟番組の案内領域に表示される。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
４１・・・テレビジョン放送受信装置、４５、５０、５８・・・チューナ、４６、５１、５９・・・復調器、４７・・・信号処理部、５３・・・音声処理部、５５・・・映像処理部、５６・・・スピーカ、５７・・・映像表示部、６１・・・制御部、７１・・・操作部、７２・・・リモートコントローラ、９１・・・ハードディスクドライブ、９２・・・録再機器、６２１・・・ＥＰＧデータベース、６２２・・・番組情報処理モジュール、６２３・・・操作入力処理モジュール、６２４・・・判定モジュール、６２５・・・録画予約処理モジュール、６３０・・・記録再生処理モジュール。
【図１】
2013026858.tif 000003
【図２】
2013026858.tif 000004
【図３】
2013026858.tif 000005
【図４】
2013026858.tif 000006
【図５】
2013026858.tif 000007
【図６】
2013026858.tif 000008
【図７】
2013026858.tif 000009